(57)【要約】【課題】  接続処理からデータ送信開始までの時間を短縮する無線通信方法を提供する。【解決手段】  第２無線装置と接続処理を行う開始ステップと、開始ステップ後、第１周波数チャネルで第２無線装置と通信を行う第１期間と、第１周波数チャネル以外の周波数チャネルをキャリアセンスする第２期間とを繰り返す第１モードで一定期間通信を行う通信ステップと、通信ステップでの通信状況に応じて第１モードから第１モードより高速に通信を行う第２モードに切り替えるか、使用周波数チャネルを第１周波数チャネル以外に切り替えるか、又は第１モードを継続するか判定する判定ステップと、第２モードに切り替えると判定した場合にモード切替信号を、第１周波数チャネル以外に切り替えると判定した場合にチャネル切り替え信号を送信する送信ステップと、を備えることを特徴とする無線通信方法。【選択図】  図２
2012075043.tif 000002
【特許請求の範囲】
【請求項１】
第２無線装置と接続処理を行う開始ステップと、
前記開始ステップ後、第１周波数チャネルで前記第２無線装置と通信を行う第１期間と、前記第１周波数チャネル以外の周波数チャネルをキャリアセンスする第２期間とを繰り返す第１モードで一定期間通信を行う通信ステップと、
前記通信ステップでの通信状況に応じて前記第１モードから前記第１モードより高速に通信を行う第２モードに切り替えるか、通信に使用する周波数チャネルを前記第１周波数チャネル以外に切り替えるか、又は前記第１モードを継続するか判定する判定ステップと、
前記第２モードに切り替えると判定した場合にモード切替信号を、前記第１周波数チャネル以外に切り替えると判定した場合にチャネル切り替え信号を送信する送信ステップと、
を備えることを特徴とする無線通信方法。
【請求項２】
前記開始ステップで、前記第２無線装置から通信に使用する使用周波数チャネルの通知があった場合は、前記開始ステップ後、前記第２モードで前記使用周波数チャネルを用いて通信を行う第２通信ステップを有することを特徴とする請求項１に記載の無線通信方法。
【請求項３】
前記第２モードで通信している場合に、通信状況に応じて前記第１モードへの切り替えを要求する第２のモード切替信号を送信する第２送信ステップを有することを特徴とする請求項１または２に記載の無線通信方法。
【請求項４】
前記第２モードで通信している場合に、通信状況に応じて該通信に使用している周波数チャネル以外の周波数チャネルへの切り替えを要求する第２のチャネル切替信号を送信する第３送信ステップを有することを特徴とする請求項１または２に記載の無線通信方法。
【請求項５】
第１無線装置と接続処理を行う開始ステップと、
前記開始ステップ後、第１周波数チャネルで前記第１無線装置と通信を行う第１期間と、前記第１周波数チャネル以外の周波数チャネルをキャリアセンスする第２期間とを繰り返す第１モードで一定期間通信を行う通信ステップと、
前記第１無線装置から前記第１モードより高速に通信を行う第２モードへの切り替えを要求するモード切替信号を受信した場合に、前記通信ステップでの通信状況に応じて前記第１モードから前記第２モードへと切り替えるか否かを判定する第１判定ステップと、
前記第１無線装置から通信に使用する周波数チャネルを前記第１周波数チャネル以外へ切り替えるチャネル切替信号を受信した場合に、前記通信ステップでの通信状況に応じてチャネル切り替えを判定する第２判定ステップと、
を備えることを特徴とする無線通信方法。
【請求項６】
前記開始ステップで前記第１無線装置から通信に使用する使用周波数チャネルの通知があった場合は、前記開始ステップ後、前記第２モードで前記使用周波数チャネルを用いて通信を行う第２ステップを有することを特徴とする請求項５に記載の無線通信方法。
【請求項７】
前記第２モードで通信を行っている場合に、通信状況に応じて前記第１モードへの切り替えを要求する第２のモード切替信号を送信する第２送信ステップを有することを特徴とする請求項５または６に記載の無線通信方法。
【請求項８】
前記第２モードで通信を行っている場合に、通信状況に応じて該通信に使用している周波数チャネル以外の周波数チャネルへの切り替えを要求する第２のチャネル切替信号を送信する第３送信ステップを有することを特徴とする請求項５または６に記載の無線通信方法。
【請求項９】
前記第２モードは、ＮＡＣＫ及びＡＣＫ信号を用いて通信を行うモードであって、
前記第２モードで通信している場合の通信状況に応じて、前記第２モードより前記ＡＣＫ信号の使用頻度が多い第３モードで通信を行う第３通信ステップと、
前記第３通信ステップで通信を行っている場合に、通信状況に応じて前記第２のモード切替信号または前記チャネル切替信号を送信する第４送信ステップと、を有することを特徴とする請求項１に記載の無線通信方法。
【請求項１０】
前記第２モードは、少なくともＡＣＫ信号を用いて通信を行うモードであって、
前記第２モードで通信している場合の通信状況に応じて、前記第２モードよりデータ受信終了時から前記ＡＣＫ信号を送信するまでの送信間隔が長い第４モードで通信を行う第４通信ステップと、
前記第４通信ステップで通信を行っている場合に、通信状況に応じて前記第２モード切替信号またはチャネル切替信号を送信する第５送信ステップと、を有することを特徴とする請求項１に記載の無線通信方法。
【請求項１１】
前記開始ステップは、周波数チャネルのキャリアセンスを含み、前記キャリアセンスの結果に基づき、前記接続処理時に前記通信周波数チャネル及び前記第１乃至第３モードのいずれかで通信を行う旨を通知することを特徴とする請求項９に記載の無線通信方法。
【請求項１２】
第２無線装置と接続処理を行った後、第１周波数チャネルで前記第２無線装置と通信を行う第１期間と、前記第１周波数チャネル以外の周波数チャネルをキャリアセンスする第２期間とを繰り返す第１モードで一定期間通信を行う通信部と、
前記通信部での通信状況に応じて前記第１モードから前記第１モードより高速に通信を行う第２モードに切り替えるか、通信に使用するチャネルを前記第１周波数チャネル以外に切り替えるか、又は前記第１モードを継続するかを判定する判定部と、を備え、
前記通信部は、前記第２モードに切り替えると判定した場合にモード切替信号を、前記第１周波数チャネル以外に切り替えると判定した場合にチャネル切替信号を送信することを特徴とする無線装置。
【請求項１３】
第２無線装置と接続処理を行った後、第１周波数チャネルで前記第２無線装置と通信を行う第１期間と、前記第１周波数チャネル以外の周波数チャネルをキャリアセンスする第２期間とを繰り返す第１モードで一定期間通信を行う通信部と、
前記第１無線装置から前記第１モードより高速に通信を行う第２モードへの切り替えを要求するモード切替信号を受信した場合に、前記通信部での通信状況に応じて前記第１モードから前記第２モードへと切り替えるか否かを判定し、前記第１無線装置から通信に使用するチャネルを前記第１周波数チャネル以外へ切り替えるチャネル切替信号を受信した場合に、前記通信部での通信状況に応じてチャネル切替を判定する判定部と、を備え、
前記通信部は、前記判定部での判定結果を前記第１無線装置に通知することを特徴とする無線装置。
【発明の詳細な説明】
【技術分野】
【０００１】
この発明の実施形態は、無線通信技術に関する。
【背景技術】
【０００２】
同一周波数帯域を使用し通信を行うシステムが複数ある場合、他システムからうける干渉をいかに回避するかが大きな課題となっている。干渉回避の方法として、ある一定時間以上、使用する周波数チャネルを１つずつキャリアセンスし、干渉の無いチャネルを選択したうえで、新規ネットワークを確立する方法がある。例えば、親局の存在する無線システムでは、親局が制御情報（Ｂｅａｃｏｎ）を一定間隔（以下、Ｂｅａｃｏｎ間隔と称する）で報知するのが一般的であり、１チャネル当り少なくとも、このＢｅａｃｏｎ間隔以上のキャリアセンスを必要とするため、“１チャネル当りの時間（Ｂｅａｃｏｎn間隔の数倍）×チャネル数” のキャリアセンス時間が必要となる。
【先行技術文献】
【特許文献】
【０００３】
【特許文献１】特開２００９−２６０７９２号公報
【発明の概要】
【発明が解決しようとする課題】
【０００４】
上述したようにチャネル毎にキャリアセンスしていると、システムに属する無線装置は接続処理を開始してからデータの送信を開始するまでの時間が長くなるという問題がある。
【０００５】
そこで、この発明の一観点は、接続処理からデータ送信開始までの時間を短縮する無線通信方法を提供することを目的とする。
【課題を解決するための手段】
【０００６】
上記目的を達成するために、本発明の一実施形態に係る無線通信方法は、第２無線装置と接続処理を行う開始ステップと、前記開始ステップ後、第１周波数チャネルで前記第２無線装置と通信を行う第１期間と、前記第１周波数チャネル以外の周波数チャネルをキャリアセンスする第２期間とを繰り返す第１モードで一定期間通信を行う通信ステップと、前記通信ステップでの通信状況に応じて前記第１モードから前記第１モードより高速に通信を行う第２モードに切り替えるか、通信に使用する周波数チャネルを前記第１周波数チャネル以外に切り替えるか、又は前記第１モードを継続するか判定する判定ステップと、前記第２モードに切り替えると判定した場合にモード切替信号を、前記第１周波数チャネル以外に切り替えると判定した場合にチャネル切り替え信号を送信する送信ステップと、を備えることを特徴とする無線通信方法。
【図面の簡単な説明】
【０００７】
【図１】第１の実施形態にかかるシステム構成を示す図。
【図２】第１の実施形態にかかる第１無線装置１の動作を示す図。
【図３】第１の実施形態にかかる第１無線装置１の動作を示す図。
【図４】第１の実施形態にかかる第１無線装置１の動作を示す図。
【図５】第１の実施形態にかかる第２無線装置２の動作を示す図。
【図６】第１の実施形態にかかる第２無線装置２の動作を示す図。
【図７】第１の実施形態にかかる第２無線装置２の動作を示す図。
【図８】第１の実施形態にかかる第１無線装置１の構成を示す図。
【図９】第２の実施形態にかかる第１無線装置１の動作を示す図。
【図１０】第２の実施形態にかかる第２無線装置２の動作を示す図。
【図１１】第３の実施形態にかかる第１無線装置１の動作を示す図。
【図１２】第３の実施形態にかかる第２無線装置２の動作を示す図。
【図１３】第４の実施形態にかかる無線システムの応用例を示す図。
【図１４】第４の実施形態にかかる無線システムの他の応用例を示す図。
【図１５】第５の実施形態にかかる無線システムの応用例を示す図。
【発明を実施するための形態】
【０００８】
（第１の実施形態）
以下に図面を参照して、この発明にかかる第１の実施形態を詳細に説明する。
【０００９】
まず、図１を用いて本実施形態の無線システムの概要を説明する。図１の無線システムは、第１〜３無線装置１〜３を備える。本実施形態の無線システムでは無線装置の通信範囲を広くて数１０ｃｍ程度と仮定している。このように無線装置の通信範囲が数１０ｃｍの近距離通信の場合、無線装置１台に接続する無線装置は多くて数台となる。図１の例では、無線システムが備える無線装置の台数を３台としているが、これに限られず２〜５台程度であってもよい。図１の例では、第１無線装置１と第２無線装置２とが無線通信を行っている。また第１無線装置１と第３無線装置３が無線通信を行っている。以下の説明では、第１無線装置１と第２無線装置２との無線通信について説明するが、第１，３無線装置１，３との間の無線通信であっても第２，３無線装置２，３との間の無線通信であってもよいことは言うまでもない。また、本実施形態の無線システムは、該無線システムが使用できる周波数帯域を複数（本実施形態ではｎ個）に分割し、分割した周波数帯域である第１〜ｎ周波数チャネルのいずれかを用いて通信を行う。
【００１０】
図２乃至図７を用いて、第１の実施形態に係る無線通信システムの動作を説明する。
【００１１】
図２乃至図４は、第１無線装置１の動作を説明するフローチャートである。
【００１２】
図２に示すように、まず第１無線装置１は、第２無線装置２と接続処理を行うことで通信を開始する（ステップＳ１０１）。接続処理は、例えば第１無線装置１が接続要求信号（Ｃｏｎｎｅｃｔ  Ｒｅｑｕｅｓｔ）を送信し、接続要求信号を受信した第２無線装置２が接続応答信号（Ｃｏｎｎｅｃｔ  Ａｃｃｅｐｔ）を送信するといった制御信号のやり取りを含む。接続処理を行った第１無線装置１は、第２無線装置２とデータ通信を開始する。
【００１３】
接続処理後、第１無線装置１は、第１周波数チャネルで第２無線装置と通信を行う第１期間と、第１周波数チャネル以外の周波数チャネルをキャリアセンスする第２期間とを繰り返す第１モードで一定期間通信を行う（ステップＳ１０２）。
【００１４】
以下、第１モードでの通信について詳細に説明する。第１無線装置１は、接続処理時、またはそれ以前に第２無線装置２と第１期間Ｔ１の開始タイミングを決めておく。例えば、第２無線装置２が接続応答信号を送信した時点、第１無線装置１が該接続応答信号を受信した時点から決められた時間が経過した後に第１期間Ｔ１を開始するとしてもよい。
【００１５】
第１期間Ｔ１に、第１無線装置１がパケットを送信し、該パケットの受信状況に応じて第２無線装置２がＡＣＫ信号を返信する、又は第２無線装置２がパケットを送信し、該パケットの受信状況に応じて第１無線装置１がＡＣＫ信号を返信することで、第１無線装置１は、第２無線装置２と通信を行う（ステップＳ１０３）。このとき、第１，２無線装置１，２は、第１〜第ｎ周波数チャネルの１つを用いて通信を行う。本実施形態では、通信に使用する周波数チャネルを使用周波数チャネルと称する。ここでは、接続処理時に使用した周波数チャネルを第１モードでの使用周波数チャネルとするが、接続処理時に使用した以外の周波数チャネルを使用周波数チャネルとしてもよい。以下、第１モードの使用周波数チャネルを第１周波数チャネルとして説明する。
【００１６】
第１期間Ｔ１経過後、第２期間Ｔ２では、第１無線装置１は、使用周波数チャネル以外の周波数チャネルである第２〜ｎ周波数チャネルのキャリアセンスを行う（ステップＳ１０４）。第１無線装置１は、例えば、第２期間Ｔ２をｎ−１等分した期間を第‘２期間とし、第‘２期間でひとつの周波数チャネルを順次キャリアセンスする。あるいは第２期間Ｔ２でひとつの周波数チャネル（例えば第２周波数チャネル）のキャリアセンスを行い、次の第２期間Ｔ２で別の周波数チャネル（例えば第３周波数チャネル）のキャリアセンスを行うなど複数の第２期間Ｔ２を用いて第２〜第ｎ周波数チャネルのキャリアセンスを行っても良い。第１無線装置１は、後述する記憶部５４に第２〜ｎ周波数チャネルのキャリアセンス結果を記憶しておく。
【００１７】
第１無線装置１は、第１期間Ｔ１，第２期間Ｔ２を一定期間Ｔの間繰り返して通信を行う（ステップＳ１０５のｎｏ）。
【００１８】
一定期間Ｔが経過した場合（ステップＳ１０５のｙｅｓ）、第１無線装置１は、通信ステップでの通信状況に応じて第１モードから第１モードより高速に通信を行う第２モードに切り替えるか、通信に使用する使用周波数チャネルを第１周波数チャネル以外に切り替えるか、又は第１モードを継続するか判定する（ステップＳ１０６）。
【００１９】
具体的に、まず第１無線装置１は、第１周波数チャネルでの通信状況に応じて通信モードを第１モードから第２モードへの移行を決定する。例えば、第１無線装置１はＳＮＲや送信エラー率が閾値ＴＨ１より小さい場合に、第１周波数チャネルへの干渉が小さいとし、第２モードへの移行を決定し（ステップＳ１０６のＹｅｓ）、モード切替信号を第２無線装置２に送信する（ステップＳ１０７）。
【００２０】
一方、例えば、ＳＮＲや送信エラー率が閾値ＴＨ１以上であり、第１周波数チャネルへの干渉が大きい場合ステップＳ１０６のＮｏ）、第１無線装置１は、使用周波数チャネルを第１周波数チャネルから第２〜第ｎ周波数チャネルに変更するか否か決定する（ステップＳ１０８）。
【００２１】
例えば、第２〜ｎ周波数チャネルの少なくともひとつの周波数チャネルの干渉が小さい場合、第１無線装置１は、周波数チャネルを切り替えると決定し（ステップＳ１０８のｙｅｓ）、周波数チャネルの切り替えを要求するチャネル切替信号を第２無線装置２に送信する（ステップＳ１０９）。このチャネル切替信号には、干渉が小さい周波数チャネルの情報を含めても良い。
【００２２】
一方、第２〜ｎ周波数チャネルのいずれも干渉が大きい場合、第１無線装置１は、周波数チャネルを切り替えないと決定し（ステップＳ１０８のｎｏ）、ステップＳ１０２に戻り第１モードでの通信を続行する。
【００２３】
ここで、第２モードとは、第１モードより高速に通信を行うモードとする。具体的には、同じ期間だけ通信を行う場合に、第１モードに比べ第２モードの方がより多くのデータを送受信できるとする。例えば、単純に第１モードの第２期間を有さず第１期間を繰り返すモードを第２モードとしてもよく、また第１モードはＱＰＳＫ変調方式を用いてデータを変調するのに対し、第２モードはＱＡＭ変調方式を用いてデータを変調するというように、データの変調方式を変えることで第２モードの方がより多くのデータを送受信できるようにしてもよい。
【００２４】
さらに別の方法として、第１，２無線装置１，２は、第１モードの第１期間はＡＣＫ信号を用いて受信状況を確認するのに対し、第２モードではＡＣＫ信号とＮＡＣＫ信号の両方を用いて受信状況を確認するようにしてもよい。第２モードで、受信状況が良い場合はＮＡＣＫ信号を用い、受信状況が悪い場合はＡＣＫ信号を用いる。ＮＡＣＫ信号を用いると、ＡＣＫ信号を用いる場合に比べてデータパケットの送信間隔を短くすることができ、またＡＣＫ信号を用いると受信状況が悪い場合でも確実にデータパケットを送信することができるので、ＡＣＫ信号のみを用いる第１モードに比べ第２モードでの通信がより高速となる。なお、受信状況は、受信電力や、データパケットのヘッダフィールドを正しく受信できたか否かなどによって決定する。
【００２５】
次に図３を用いて、モード切替信号を送信した後の第１無線装置１の動作を説明する。
【００２６】
ステップＳ１０７でモード切替信号を送信した第１無線装置１は、第２無線装置２から信号を受信し、受信した信号の種類に応じて以下の動作を行う。まず、第２無線装置２から受信した信号がａｃｃｅｐｔ信号だった場合（ステップＳ１１０のＡ）、第１無線装置１は、第２モードで第２無線装置２と通信を行う（ステップＳ１１１）。
【００２７】
次に、第２無線装置２から受信した信号がチャネル切替信号だった場合（ステップＳ１１０のＢ）、第１無線装置１は、通信に使用する周波数チャネルを第１周波数チャネルからそれ以外の第２〜第ｎ周波数チャネルに切り替えるか否か決定する（ステップＳ１１２）。
【００２８】
第１無線装置１は、ステップＳ１０４で行った第２〜第ｎ周波数チャネルのキャリアセンスの結果から、第２〜第ｎ周波数チャネルの干渉の大きさを判断し、第２〜第ｎ周波数チャネルの干渉が閾値ＴＨ２より小さい場合、周波数チャネルを切り替えると決定する（ステップＳ１１２のｙｅｓ）。周波数チャネルを切り替えると決定した場合、第１無線装置１は、ａｃｃｅｐｔ信号を第２無線装置２に送信し（ステップＳ１１３）、通信に使用する周波数チャネルを第１周波数チャネル以外に変更し（ステップＳ１１４）、ステップＳ１０２に戻り、第１モードで通信を開始する。
【００２９】
一方、第２〜第ｎ周波数チャネルの干渉が閾値ＴＨ２以上の場合、第１無線装置１は、使用周波数チャネルを切り替えないと決定する（ステップＳ１１２のｎｏ）。この場合、第１無線装置１は、ｒｅｊｅｃｔ信号を第２無線装置２に送信し（ステップＳ１１５）、ステップＳ１０２に戻り第１モードで通信を開始する。
【００３０】
なお、第１周波数チャネルから切り替える周波数チャネルは、予め第１，２無線装置１，２の間で切り替える順番を決めておいてもよく、また次に切り替える周波数チャネルを第２無線装置２がチャネル切替信号に含めて送信してもよい。この場合、第１無線装置１は、ステップＳ１１２にて、第１周波数チャネルから切り替える周波数チャネルの干渉と閾値ＴＨ２とを比較し、周波数チャネルを切り替えるか否か決定してもよい。
【００３１】
続いて、図４を用いて、第１無線装置１がチャネル切替信号を送信した後の動作について説明する。
【００３２】
ステップＳ１０９でチャネル切替信号を送信した第１無線装置１は、第２無線装置２から信号を受信し、受信した信号の種類に応じて以下の動作を行う。まず、第２無線装置２から受信した信号がａｃｃｅｐｔ信号だった場合（ステップＳ１１６のＡ）、第１無線装置１は、通信に使用する周波数チャネルを第１周波数チャネルから第２〜第ｎ周波数チャネルの一つに変更し（ステップＳ１１７）、ステップＳ１０２に戻り、第１モードで通信を行う。なお、第１周波数チャネルから切り替える周波数チャネルは、予め第１，２無線装置１，２の間で切り替える順番を決めておいてもよく、また第１無線装置１は干渉が小さい周波数を少なくとも１つ選択し、選択した周波数チャネルの情報をチャネル切替信号に含めて送信してもよい。
【００３３】
一方、第２無線装置２から受信した信号がｒｅｊｅｃｔ信号であった場合（ステップＳ１１６のＢ）、通信に使用する周波数チャネルを変更せずに、ステップＳ１０２に戻り第１モードで通信を行う。
【００３４】
次に、図５乃至図７を用いて、第２無線装置２の動作を説明する。
【００３５】
図５に示す通り、第２無線装置２は、第１無線装置１と接続処理を行うことで通信を開始する（ステップＳ１０１）。接続処理後、第１周波数チャネルで第１無線装置と通信を行う第１期間と、前記第１周波数チャネル以外の周波数チャネルをキャリアセンスする第２期間とを繰り返す第１モードで一定期間通信を行う。接続処理及び第１モードでの通信は、ステップＳ１０２と同じであるため説明を省略する。
【００３６】
一定期間Ｔが経過した場合（ステップＳ１０５のＹｅｓ）、第２無線装置２は、一定時間、第１無線装置１からの信号を待つ。一定時間内に信号を受信しない場合（ステップＳ２０１のＡ）、ステップＳ１０２に戻り第１モードで通信を行う。
【００３７】
一定時間内に、第１無線装置から第２モードへの切り替えを要求するモード切替信号を受信した場合（ステップＳ２０１のＢ）、第２無線装置２は、ステップＳ１０２での通信状況に応じて第１モードから第２モードへと切り替えるか否かを判定する（ステップＳ２０２）。
【００３８】
図６を用いてステップＳ２０２以降の第２無線装置２の動作について説明する。
【００３９】
モード切替信号を受信した第２無線装置２は、例えば、ＳＮＲや送信エラー率が閾値ＴＨ１より小さい場合に、第１周波数チャネルへの干渉が小さいとし、第２モードへの移行を決定し（ステップＳ２０２のｙｅｓ）、ａｃｃｅｐｔ信号を第１無線装置１に送信する（ステップＳ２０３）。第２無線装置２は、ａｃｃｅｐｔ信号を送信後、第２モードで通信を行う（ステップＳ２０４）。
【００４０】
一方、例えば、ＳＮＲや送信エラー率が閾値ＴＨ１以上であり、第１周波数チャネルへの干渉が大きい場合（ステップＳ２０２のｎｏ）、第２無線装置２は、通信に使用する周波数チャネルを第１周波数チャネルから第２〜第ｎ周波数チャネルに変更するか否か決定する（ステップＳ２０５）。
【００４１】
例えば、第２〜ｎ周波数チャネルの少なくともひとつの周波数チャネルの干渉が小さい場合、第２無線装置２は、周波数チャネルを切り替えると決定し（ステップＳ２０５のｙｅｓ）、周波数チャネルの切り替えを要求するチャネル切替信号を第１無線装置１に送信する（ステップＳ２０６）。このチャネル切替信号には、干渉が小さい周波数チャネルの情報を含めても良い。
【００４２】
チャネル切替信号を送信した第２無線装置２は、第１無線装置１から信号を受信し、受信した信号の種類に応じて以下の動作を行う。まず、第１無線装置１から受信した信号がａｃｃｅｐｔ信号だった場合（ステップＳ２０８のＡ）、第２無線装置２は、使用周波数チャネルを変更し（ステップＳ２０９）、ステップＳ１０２に戻り第１モードで第１無線装置１と通信を行う。
【００４３】
第１無線装置１から受信した信号がｒｅｊｅｃｔ信号だった場合（ステップＳ２０８のＢ）、第２無線装置２は、周波数チャネルを変更せずにステップＳ１０２に戻り、第１モードで第１無線装置１と通信を行う。
【００４４】
一方、第２〜ｎ周波数チャネルのいずれも干渉が大きい場合、第２無線装置２は、第２モードにも移行せず、周波数チャネルを切り替えないと決定し（ステップＳ２０５のｎｏ）、第１無線装置１にｒｅｊｅｃｔ信号を送信する（ステップＳ２０７）。第２無線装置２は、ステップＳ１０２に戻り、第１モードで通信を行う。
【００４５】
図５に戻る。ステップＳ２０１で第２無線装置２が、チャネル切替信号を受信した場合（ステップＳ２０１のＣ）、第２無線装置２は、ステップＳ１０２での通信状況に応じてチャネル切り替えを判定する（ステップＳ２１０）。
【００４６】
図７を用いてステップＳ２１０以降の第２無線装置２の動作について説明する。
【００４７】
第１無線装置１から受信した信号がチャネル切替信号だった場合（ステップＳ２０１のＣ）、第２無線装置２は、通信に使用する周波数チャネルを第１周波数チャネルからそれ以外の第２〜第ｎ周波数チャネルに切り替えるか否か決定する（ステップＳ２１０）。
【００４８】
第２無線装置２は、ステップＳ１０４で行った第２〜第ｎ周波数チャネルのキャリアセンスの結果から、第２〜第ｎ周波数チャネルの干渉の大きさを判断し、第２〜第ｎ周波数チャネルの干渉が閾値ＴＨ２より小さい場合、使用周波数チャネルを切り替えると決定する（ステップＳ２１０のｙｅｓ）。使用周波数チャネルを切り替えると決定した場合、第２無線装置２は、ａｃｃｅｐｔ信号を第１無線装置１に送信し（ステップＳ２１１）、使用周波数チャネルを第１周波数チャネル以外に変更し（ステップＳ２１２）、ステップＳ１０２に戻り、第１モードで通信を開始する。
【００４９】
一方、第２〜第ｎ周波数チャネルの干渉が閾値ＴＨ２以上の場合、第２無線装置２は、周波数チャネルは切り替えないと決定する（ステップＳ２１０のｎｏ）。この場合、第２無線装置２は、ｒｅｊｅｃｔ信号を第１無線装置１に送信し（ステップＳ２１３）、ステップＳ１０２に戻り第１モードで通信を行う。
【００５０】
次に、図８を用いて第１，２無線装置１，２の構成例を説明する。なお、第１，２無線装置１，２は同じ構成要素で実現できるため、ここでは第１無線装置１の構成を説明する。
【００５１】
第１無線装置１は、通信部７０、判定部５０及び上位層処理部６０を備える。通信部７０は、アンテナ１０、無線部２０、変復調部３０、ＭＡＣ処理部４０を備える。変復調部３０は変調部３１と復調部３２を有し、ＭＡＣ処理部４０は、送信部４１、受信部４２を有する。判定部５０は、モード制御部５１、チャネル制御部５２、干渉検出部５３、タイマ５５を有する。
【００５２】
上位層処理部６０は、第１モード及び第２モード時に送信するパケットを生成し送信部４１に出力する。また上位層処理部６０は、受信データを受信部４２から受け取り、受信データからデータを生成する。
【００５３】
判定部５０は、通信部７０での通信状況に応じて第１モードから第２モードに切り替えるか、使用周波数チャネルを第１周波数チャネル以外に切り替えるか、又は第１モードを継続するかを判定する。また、判定部５０は、モード切替信号を受信した場合に、通信部７０での通信状況に応じてモード切替を判定し、チャネル切替信号を受信した場合に、通信部７０での通信状況に応じてチャネル切替を判定する。
【００５４】
以下、判定部５０の各部の詳細について説明する。
【００５５】
判定部５０のタイマ５５は、第１モードの第１期間Ｔ１、第２期間Ｔ２、一定期間Ｔを計測し、計測結果をモード制御部５１及びチャネル制御部５２に通知する。
【００５６】
モード制御部５１は、第１モード及び第２モードの切り替え、及び第１モードにおける第１期間Ｔ１及び第２期間Ｔ２の切り替えを制御する。モード制御部５１は、通信部７０が第１モードとして動作するか第２モードで動作するかを制御する。通信部７０が第１モードで動作しているときに、タイマ５５から第１期間Ｔ１が経過した旨の通知があると、モード制御部５１は、使用周波数チャネル以外の周波数チャネルのキャリアセンスを行うよう通信部７０を制御する。また、通信部７０がキャリアセンスを行っているときに、タイマ５５から第２期間Ｔ２が経過した旨の通知があると、モード制御部５１は、パケット通信を行うように通信部７０を制御する。
【００５７】
モード制御部５１は、タイマ５５から一定期間Ｔが経過したとの通知があった場合に、干渉検出部５３が有する記憶部５４に記憶されている第１〜第ｎ周波数チャネルの通信状況に応じて、モードを切り替えるか否かを決定する。モード制御部５１は、第１モードから第２モードに切り替えると決定した場合は、モード切替信号を送信部４１に出力する。第１モードから第２モードに切り替えないと決定した場合、モード制御部５１はその旨をチャネル制御部５２に通知する。
【００５８】
モード制御部５１は、受信部４２からモード切替信号が入力された場合に記憶部５４に記憶されている第１〜第ｎ周波数チャネルの通信状況に応じて、モードを切り替えるか否かを決定する。モード制御部５１は、第１モードから第２モードに切り替えると決定した場合は、ａｃｃｅｐｔ信号を送信部４１に出力する。第１モードから第２モードに切り替えないと決定した場合、モード制御部５１はその旨をチャネル制御部５２に通知する。
【００５９】
チャネル制御部５２は、第１〜第ｎ周波数チャネルのうち使用周波数チャネルを記憶しておき、該使用周波数チャネルで動作するよう通信部７０を制御する。チャネル制御部５２は、モード制御部５１からモードの切り替えを行わない旨の通知があった場合、または受信部４２からチャネル切替信号が入力された場合に、記憶部５４に記憶されている第１〜第ｎ周波数チャネルの通信状況に応じて使用周波数チャネルを切り替えるか否か決定する。使用周波数チャネルを切り替えると決定した場合、チャネル制御部５２は、チャネル切替信号またはａｃｃｅｐｔ信号を送信部４１に出力する。使用周波数チャネルを切り替えないと決定した場合、チャネル制御部５２は、ｒｅｊｅｃｔ信号を送信部４１に出力するか、または第１モードでの通信を続行する旨をモード制御部５１に通知する。
【００６０】
干渉検出部５３は、使用周波数チャネルを用いた通信の状況、例えばエラー率やＳＮＲを受信部４１から受け取ると記憶部５４に記憶する。また、干渉検出部５３は、第１モードの第２期間Ｔ２に受信部４２から入力されるキャリアセンスの結果を記憶部５４に記憶する。
【００６１】
通信部７０は、接続処理を行った後、使用周波数チャネルで第２無線装置２と通信を行う第１期間と、使用周波数チャネル以外の周波数チャネルをキャリアセンスする第２期間とを繰り返す第１モードまたは第１モードより高速な第２モードで通信を行う。通信部７０は、判定部５０の判定結果としてモード切替信号、チャネル切替信号、ａｃｃｅｐｔ信号またはｒｅｊｅｃｔ信号（以下、判定信号と称する。）のいずれかを第２無線装置２に送信する。
【００６２】
以下、通信部７０の各部の詳細について説明する。まずは通信部７０が信号を送信する場合について説明する。送信部４１は、上位層処理部６０から渡されるデータまたは判定部５０から渡される判定信号に対してヘッダフィールド付加等の処理を行い、データ信号を生成する。送信部４１は、生成したデータ信号を変調部３１に渡す。
【００６３】
変調部３１は、データ信号に対して符号化処理、変調処理や、物理ヘッダの追加等の処理を行い、物理データ信号を生成する。無線部２０は、物理データ信号に対してＤ／Ａ変換処理、アップコンバート等の処理を行い、送信信号を生成し、アンテナ１０を介して送信する。
【００６４】
次に、通信部７０が信号を受信する場合について説明する。アンテナ１０を介して受信された受信信号は、無線部２０にてダウンコンバート、Ａ／Ｄ変換等の処理を施され物理データ信号に変換される。復調部３２は、物理データ信号に対して復調処理や物理ヘッダの解析等の処理を行い、データ信号を生成する。受信部４２は、データ信号のヘッダフィールドの解析等の処理を行い、データまたは判定信号を生成する。受信部４２は、データを上位層処理部６０に渡し、判定信号を判定部５０に渡す。
【００６５】
なお、本実施形態の第１，２無線装置１，２では、モード制御部５１でのモード切替判定をチャネル制御部５２でのチャネル切替判定の前に行っているが、チャネル切替判定を行った後にモード切替判定を行ってもよく、同時に行っても良い。また、本実施形態では、第１無線装置１は、モード切替信号もチャネル切替信号も送信しない場合（図２のステップＳ１０８のｎｏ）、第２無線装置２に通知せずにステップＳ１０２に戻り第１モードで通信を行っているが、第２モードに移行せず第１モードを継続する旨を第２無線装置２に通知するようにしてもよい。
【００６６】
本実施形態の無線システムに対する干渉源となる無線システムが例えばＢｅａｃｏｎといった報知制御信号を送信している場合、第１モードを継続する一定期間Ｔの長さは、干渉源となる無線システムがＢｅａｃｏｎを送信する間隔より長くなるようにする。
【００６７】
第１モードで通信を行っている場合でも、干渉が大きく第１周波数チャネルでの通信が困難な場合、第１無線装置１は、一定期間Ｔ経過するのを待たずにモード切替、チャネル切替の判定を行っても良い。また第２モードで通信を行っている場合でも、一定時間経過ごと、あるいは干渉が大きく第１周波数チャネルでの通信が困難になった場合、第１，２無線装置１，２は、モード切替、チャネル切替の判定を行っても良い。
【００６８】
本実施形態では、接続処理時に接続要求信号を送信した第１無線装置１が、一定期間Ｔ経過後にモード切り替え、チャネル切り替えの判定を行っているが、接続要求信号を受信した第２無線装置２が判定を行うようにしてもよい。
【００６９】
本実施形態では、周波数チャネルを変更した場合に第１モードで通信するようにしているが、変更後の使用周波数チャネルの干渉が小さい場合は、第１モードではなく第２モードで通信するようにしてもよい。
【００７０】
以上のように、本実施形態に係る無線システムによれば、接続処理後、キャリアセンスを行う前に第１モードで通信を行うため、接続処理からデータ送信開始までの時間を短縮することができる。また、一定期間Ｔ経過後に、第２モードへの移行または使用周波数チャネルの切替を判定することで、無線システムのスループットを向上させることができる。
【００７１】
（第２の実施形態）
次に、図９及び図１０を用いて第２の実施形態に係る無線システムを説明する。本実施形態に係る無線システムは、第１無線装置１が、第２無線装置２と通信を開始する前に第１〜第ｎ周波数チャネルのキャリアセンスを行っている点が第１実施形態と異なる。
【００７２】
図９は、第１無線装置１の動作を示すフローチャートである。第１無線装置１の干渉検出部５３は、通信部７０が受信する信号に基づき、第１〜第ｎ周波数チャネルのキャリアセンスを定期的に行っておき、キャリアセンス結果を干渉検出部５３の記憶部５４に記憶しておく（ステップＳ３０１）。
【００７３】
次に、第１無線装置１は、第２無線装置２と接続処理を行う（ステップＳ３０２）。接続処理は、例えば第１無線装置１が接続要求信号（Ｃｏｎｎｅｃｔ  Ｒｅｑｕｅｓｔ）を送信し、接続要求信号を受信した第２無線装置２が接続応答信号（Ｃｏｎｎｅｃｔ  Ａｃｃｅｐｔ）を送信するといった制御信号のやり取りを含む。このとき、本実施形態に係る第１無線装置１のチャネル制御部５２は、干渉検出部５３の記憶部５４が記憶しているキャリアセンス結果から干渉の小さい周波数チャネルを少なくとも１つ選択し、選択した周波数チャネル（以下、選択周波数チャネルと称する。）の情報を送信部４１及びモード制御部５１に通知する。送信部４１は、選択周波数チャネルの情報を接続要求信号に含めて送信するようにしてもよい。接続処理を行った第１無線装置１は、第２無線装置２と通信を開始する。
【００７４】
接続処理後、第１無線装置１のモード制御部５１は、選択周波数チャネルを用いて第２モードで第２無線装置２と通信を行うよう通信部７０を制御する（ステップＳ３０３）。この間、第１無線装置１の干渉検出部５３は、例えば一定間隔で選択周波数チャネルでの通信状況を検出し、検出結果をモード制御部５１及びチャネル制御部５２に通知する。検出結果を受け取ったモード制御部５１、チャネル制御部５２は、例えばエラー率が閾値ＴＨ３以下となるなど通信状況が悪化した場合に、チャネル切替またはモード切替の判定を行う。なお、干渉検出部５３が、選択周波数チャネルでの通信状況が悪化したか否かを判定し、判定結果をモード制御部５１、チャネル制御部５２に通知するようにしてもよい。
【００７５】
通信状況が悪化した場合、第１無線装置１のチャネル制御部５２は、使用周波数チャネルを選択周波数チャネル以外に切り替えるか否かを選択する（ステップＳ３０４）。このとき、第１無線装置１は、ステップＳ３０１のキャリアセンス結果に基づいて周波数チャネルを切り替えるか否か決定する。第１無線装置１は、選択周波数チャネル以外の周波数チャネルの少なくとも１つが受ける干渉が小さい場合に、使用周波数チャネルを切り替えると決定する。使用周波数チャネルを切り替えると決定した後の処理は、図４に示す処理と同じであるため説明を省略する。
【００７６】
周波数チャネルを切り替えないと決定した場合、第１無線装置１は、通信モードを第２モードから第１モードに切り替えるか否か決定する（ステップＳ３０５）。第１無線装置１のモード制御部５１は、選択周波数チャネルの通信状況が悪い（例えば、エラー率が閾値ＴＨ１以上）場合に、通信モードを第１モードに切り替えると決定する。モードを切り替えると決定した後の処理は、図３に示す処理と同じであるため説明を省略する。
【００７７】
次に、図１０を用いて第２無線装置２の動作について説明する。
【００７８】
第２無線装置２の通信部７０は、まず接続処理を行う（ステップＳ３０１）。第２無線装置２の通信部７０は、受信した接続要求信号に含まれる選択周波数チャネルの情報をモード制御部５１及びチャネル制御部５２に通知する。
【００７９】
選択周波数チャネルの情報を受け取ったモード制御部５１は第２モードで通信を行うように、チャネル制御部５２は選択周波数チャネルで通信を行うように、それぞれ通信部７０を制御する（ステップＳ３０６）。
【００８０】
第２無線装置２の通信部７０は、第２モードで通信中に判定信号を受信したか否か判定する（ステップＳ３０７）。判定信号を受信していない場合（ステップＳ３０７のＡ）は、ステップＳ３０５に戻り第２モードで通信を継続する。モード切替信号を受信した場合（ステップＳ３０７のＢ）は、図６の処理と同じであるため説明を省略する。またチャネル切替信号を受信した場合（ステップＳ３０７のＣ）は、図７の処理と同じであるため説明を省略する。
【００８１】
第１，２無線装置１，２の構成は図８と同じであるため説明を省略する。
【００８２】
なお、本実施形態では、第１無線装置１が接続処理前にキャリアセンスをする場合について説明したが、第２無線装置２が接続処理前にキャリアセンスを行っても良い。この場合は、第２無線装置２は接続応答信号に選択周波数チャネルの情報を含めて送信するようにしてもよい。
【００８３】
また、第１無線装置１が第２モードで通信中に通信状況が悪化した場合にチャネル切替及びモード切替を判定するとしたが、第２無線装置２が判定してもよい。判定の順番は、モード切替が先でもよく、チャネル切替とモード切替の判定を同時に行っても良い。また、第２モードで通信中に通信状況が悪化した場合は、チャネル切替及びモード切替の判定を行わずに第１モードに移行するようにしてもよい。第２モードで通信中に行うチャネル切替及びモード切替の判定は、通信状況が悪化せずとも一定時間毎に行ってもよい。
【００８４】
以上のように、本実施形態に係る無線システムでは、キャリアセンスを行った結果から通信に使用する周波数チャネルを接続処理時に通知することで、接続処理後に第２モードで通信を開始でき、接続処理からデータ送信開始までの時間を短縮できるとともに、システムのスループットを向上させることができる。
【００８５】
（変形例）
次に、第２の実施形態に係る無線システムの変形例を説明する。第２の実施形態では、第１無線装置１が接続処理前にキャリアセンスを行っているが、キャリアセンス時間が短い、受信電力レベルが小さいなどの理由によりキャリアセンス結果の精度が不十分である場合がある。そこで、本変形例では、キャリアセンス時間や受信電力レベルに応じて接続処理後の通信モードを変化させる。
【００８６】
第１無線装置１は、キャリアセンス時間が閾値ＴＨ４より短かった場合や受信電力レベルが閾値ＴＨ５より小さかった場合に、その旨の情報を付して接続要求信号を第２無線装置２に送信する。
【００８７】
この場合、第１，２無線装置１，２は、例えばステップＳ３０２で第２モードではなく第１モードで通信を行う。あるいは、第２モードで通信を行う場合でも、第１，２無線装置１，２は、チャネル切替、モード切替の判定に用いる閾値ＴＨ１，ＴＨ３を小さくして通信を行う（以下、第３モードと称する。）。第２モードでの通信がＡＣＫ信号とＮＡＣＫ信号の両方を用いている場合に、例えばＡＣＫ信号のみを用いて受信状況を確認するようにしてもよい（第４モードと称する。）。
【００８８】
なお、キャリアセンス時間や受信電力レベルだけでなく、選択周波数チャネルに干渉が有る場合は、干渉が有る旨を接続要求信号に含めても良い。
【００８９】
このように、接続処理前に第１〜第ｎ周波数チャネルのキャリアセンスを行っている場合でも、キャリアセンスの状況（キャリアセンス時間や受信電力レベル、干渉の有無）に応じて接続処理後に第１〜第４モードなど第２モード以外のモードでの通信を選択するようにしてもよい。また、第１モードを選択する場合は、接続要求信号に選択周波数チャネルの情報を含めないようにしてもよい。
【００９０】
第１無線装置１は、キャリアセンスの情報を接続要求信号に付すのではなく、接続処理後に行う通信モードの情報を付すようにしてもよい。また、通信モードは第１〜第４モードに限られず、例えば第２モードで通信中に、一定間隔でチャネル切替、モード切替の判定を行う場合は、該一定間隔を短くするようにしてもよい。
【００９１】
（第３の実施形態）
次に、図１１を用いて第３の実施形態に係る無線システムを説明する。本実施形態に係る第１無線装置１は、第２モードで通信をしている場合に通信状況が悪化すると第１モードへの切替及びチャネル切替の判定を行う前に第５モードに切り替えるか否か判定する点が第２の実施形態と異なる。
【００９２】
第２モードで通信するステップＳ３０３までの動作は図９と同じであるため説明を省略する。
【００９３】
第２モードで通信を行っている場合、第１無線装置１のモード制御部５１は、選択周波数チャネルでの通信状況が悪化すると、第２モードから第５モードへ切り替えるか否か決定する（ステップＳ４０１）。例えばエラー率が閾値ＴＨ３より小さい場合、第１無線装置１のモード制御部５１は、モードの切り替えを行わないと決定し（ステップＳ４０１のＮｏ）、ステップＳ３０３に戻り第２モードで通信を継続する。一方、例えばエラー率が閾値ＴＨ３以上である場合、第１無線装置１のモード制御部５１は、第５モードへの切り替えを決定する（ステップＳ４０１のＹｅｓ）。
【００９４】
この場合、第１無線装置１のモード制御部５１は、通信部７０を制御し第５モードへ以降する旨を第２無線装置２に通知する。通知後、第１無線装置１は、第５モードで通信を行う（ステップＳ４０２）。なお、第５モードは、第１モードより高速であるが、第２モードより低速である通信モードである。例えば第２モードでの通信がＡＣＫ信号とＮＡＣＫ信号の両方を用いている場合に、ＡＣＫ信号のみを用いて受信状況を確認する、あるいはＡＣＫ信号の挿入頻度が第２モードより高い通信モードを第５モードとする。または、データを受信してからＡＣＫ信号を送信するまでの間隔が第２モードより長い通信モードを第５モードとしてもよい。
【００９５】
第１無線装置１のモード切替部５１は、第５モードで通信を行っている場合に、一定期間が経過するとモードを変更するか否かを決定する（ステップＳ４０３）。通信状況が改善した場合、例えばエラー率が閾値ＴＨ３より小さくなった場合、第１無線装置１のモード制御部５１は、第２モードへ切り替えると決定し（ステップＳ４０３のＡ）、ステップＳ３０３に戻り第２モードで通信する。
【００９６】
一方、一定期間が経過しても通信状況が改善しない場合、例えばエラー率が閾値ＴＨ３以上である場合（ステップＳ４０３のＢ）、第１無線装置１のモード制御部５１は、使用周波数チャネルを選択するか否か判定する（ステップＳ３０５）。以下の処理フローは、図９と同じであるため説明を省略する。
【００９７】
次に、図１２を用いて第２無線装置２の動作について説明する。
【００９８】
第２無線装置２のモード制御部５１は、第２モードで通信中（ステップＳ３０６）に第５モードへ移行する旨の通知を第１無線装置１から受信すると、第５モードに切り替えて通信を行う（ステップＳ４０４）。第５モードで通信しているときに判定信号を受信すると、第２無線装置２は、判定信号の種類に応じて処理を行う。判定信号の種類に応じた処理は、図１０に示す処理と同じであるため説明を省略する。
【００９９】
また、第１，２無線装置１，２の構成は図８と同じであるため説明を省略する。
【０１００】
以上のように本実施形態に係る無線システムでは、第２モードで通信を行っている場合に、通信状況が悪化すると第１モードへ切り替えるか否かまたはチャネルを切り替えるか否かを判定する前に、第１モードより高速で第２モードより低速な第５モードに切り替える。これにより、無線システムのスループットの低下を抑制しながら通信を維持することができる。
【０１０１】
なお、本実施形態では、接続処理後に第２モードで通信を行う場合に、第５モードへ移行する例について説明したが、第１の実施形態に係る無線システムで第１モードから第２モードに移行した場合についても同様に、第５モードに移行してから第１モードへの移行またはチャネル切替を決定するようにしてもよい。また、本実施形態ではモード切替を第１無線装置１が判定しているが、第２無線装置２が判定するようにしてもよい。
【０１０２】
（第４の実施形態）
次に、図１３用いて本実施形態に係る無線システムの応用例を説明する。図１３に示す通り、本実施形態では、図２〜図８に示す第１、２無線装置１，２を、第１，２携帯端末１００，２００に実装した応用例を示す。
【０１０３】
第１，２携帯端末１００，２００は、例えばノートＰＣ、携帯電話、ＰＤＦ、カメラなど、近距離通信を行う装置である。図１３では、ノートＰＣである第１携帯端末１００とカメラである第２携帯端末２００とが通信する場合の例を示している。本実施形態に係る第１携帯端末１００は、第１の実施形態に示す第１無線装置１を有しており、第２携帯端末２００は、第１の実施形態に示す第２無線装置２を有している。第１携帯端末１００は、例えばユーザなどにより第１無線装置１が起動されたことをトリガとして、第１無線装置１から接続要求信号を定期的に送信する。第１無線装置１の通信範囲に第２携帯端末２００の第２無線装置２が近づくと、第２無線装置２は、接続要求信号を受信する。第２無線装置２が接続要求信号に対する接続応答信号を送信することで、第１，２携帯端末１００，２００との間で第１モードまでの通信が開始される。
【０１０４】
図１４は、第１，２携帯端末１００，２００の別の例を示す図である。図１４では、携帯電話である第１，２携帯端末１００，２００が通信を行う例を示している。
【０１０５】
以上のように、本実施形態では、図２〜図８に示す第１，２無線装置１，２を携帯端末に実装することで、携帯端末同士の通信のうち接続処理からデータ送信開始までを短縮することができる。
【０１０６】
なお、本実施形態では、第１，２携帯端末１００，２００に第１の実施形態に係る無線システムを実装する例について説明したが、第２、第３の実施形態に係る無線システムを実装してもよい。
【０１０７】
また、本実施形態では、第１携帯端末１００に第１無線装置１を、第２携帯端末２００に第２無線装置２００を実装した例を説明したが、第１携帯端末１００に第２無線装置２を、第２携帯端末２００に第１無線装置１００を実装してもよい。
【０１０８】
（第５の実施形態）
次に、図１５用いて本実施形態に係る無線システムの応用例を説明する。図１３に示す通り、本実施形態では、第２の実施形態に示す第１無線装置１を、通信端末３００に、第２無線装置２を携帯端末４００に実装した応用例を示す。
【０１０９】
通信端末３００は、例えば情報ＫＩＯＳＫ端末やデスクトップＰＣなど、屋内外に設置され、携帯端末４００と異なり移動することが少ない端末である。携帯端末４００は、例えばノートＰＣ、携帯電話、ＰＤＦ、カメラなど、持ち運んで使用されることが多い端末である。
【０１１０】
図１５では、情報ＫＩＯＳＫ端末である通信端末３００と携帯電話である携帯端末４００とが通信する場合の例を示している。本実施形態に係る通信端末３００は、第２の実施形態に示す第１無線装置１を有しており、携帯端末４００が通信範囲にない場合、定期的に第１〜第ｎ周波数チャネルのキャリアセンスを行っている。携帯端末４００は、第２の実施形態に示す第２無線装置２を有している。通信端末４００は、上述した第１〜第ｎ周波数チャネルのキャリアセンスと接続要求信号の送信とを定期的に繰り返している。第１無線装置１の通信範囲に携帯端末４００の第２無線装置２が近づくと、第２無線装置２は、接続要求信号を受信する。第２無線装置２が接続要求信号に対する接続応答信号を送信することで、通信端末３００と携帯端末４００との間で第１モードまたは第２モードでの通信が開始される。
【０１１１】
以上のように、本実施形態では、第２の実施形態に係る第１，２無線装置１，２を携帯端末に実装することで、通信端末と携帯端末の通信のうち接続処理からデータ送信開始までを短縮することができる。
【０１１２】
なお、本実施形態では通信端末３００が接続要求信号を送信する場合について説明したが、通信端末３００が接続処理前に第１〜第ｎ周波数チャネルのキャリアセンスを行い、携帯端末４００が接続要求信号を送信するようにしてもよい。この場合、通信端末３００は接続要求信号の送信とキャリアセンスとを繰り返す必要がなくなり、第１〜第ｎ周波数チャネルのキャリアセンス期間を長くすることができる。
【０１１３】
なお、本実施形態では、通信端末３００と携帯端末２００に第２の実施形態に係る無線システムを実装する例について説明したが、第１、第３の実施形態に係る無線システムを実装してもよい。
【０１１４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１５】
１，２，３  無線装置、１００，２００，４００  移動端末、３００  通信端末、１０  アンテナ、２０  無線部、３０  変復調部、４０  ＭＡＣ処理部、５０  判定部、６０  上位層処理部、７０  通信部
【図１】
2012075043.tif 000003
【図２】
2012075043.tif 000004
【図３】
2012075043.tif 000005
【図４】
2012075043.tif 000006
【図５】
2012075043.tif 000007
【図６】
2012075043.tif 000008
【図７】
2012075043.tif 000009
【図８】
2012075043.tif 000010
【図９】
2012075043.tif 000011
【図１０】
2012075043.tif 000012
【図１１】
2012075043.tif 000013
【図１２】
2012075043.tif 000014
【図１３】
2012075043.tif 000015
【図１４】
2012075043.tif 000016
【図１５】
2012075043.tif 000017